【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
無線レーキ受信器内のすべての復調フィンガーがアウトオブロックであるときを検出する；および
すべての復調フィンガーが所定の期間を越える期間アウトオブロックのままであるとき無線送信器の送信電力のレベルを増加する； ことを具備する方法。
【請求項２】
前記復調フィンガーが前記所定期間未満アウトオブロックのままであるとき、実質的に一定のレベルで送信電力の前記レベルを維持することをさらに具備する、請求項１の方法。
【請求項３】
前記復調フィンガーがアウトオブロックであるとき、他の装置に送信電力を増加させるために前記送信器が信号搬送命令を送信するのを制御する、および前記復調フィンガーが所定期間を超える期間アウトオブロックのままであるとき前記信号の送信電力の前記レベルを増加させることをさらに具備する、請求項１の方法。
【請求項４】
下記を具備する方法：
無線レーキ受信器内のすべての復調フィンガーがアウトオブロックであるときを検出する；
すべての復調フィンガーが所定の期間を超える期間アウトオブロックのままであるとき、無線送信器の送信電力のレベルを増加する；
すべての復調フィンガーが所定の期間より少ない期間アウトオブロックのままであるとき、第１のパターンの電力制御ビットを送信器に印加して前記送信電力のレベルを維持する；および
すべての復調フィンガーが所定期間を超える期間アウトオブロックのままであるとき、第２パターンの電力制御ビットを送信器に印加し、送信電力のレベルを増加する。
【請求項５】
前記第１のパターンの電力制御ビットは、前記送信電力の前記レベルに毎秒ほぼ０ｄＢの増加を生成し、前記第２のパターンの電力制御ビットは、前記送信電力の前記レベルに、毎秒ほぼ１０ｄＢ以上の増加を生成する、請求項４の方法。
【請求項６】
下記を具備する方法：
無線レーキ受信器内のすべての復調フィンガーがあうとオブロックであるときを検出する；
すべての復調フィンガーが所定の期間を超える期間アウトオブロックのままであるとき、無線送信器の送信電力のレベルを増加する；
前記検出に応答して、タイマーを開始する；および
前記復調フィンガーの少なくとも１つがロック状態にあるとき、前記タイマーを停止する、前記送信電力のレベルを増加することは、前記タイマーが前記所定の期間を超える期間作動しているとき前記送信電力のレベルを増加することを含む。
【請求項７】
前記送信器および前記レーキ受信器は両方とも無線基地局に関連する、請求項１の方法。
【請求項８】
前記送信器と前記レーキ受信器は両方とも移動加入者装置に関連する、請求項１の方法。
【請求項９】
前記送信器は、ＷＣＤＭＡ規格にしたがって信号を送信するＣＤＭＡ送信器である、請求項１の方法。
【請求項１０】
ローカル無線送信環境の特性に従って選択された量だけ前記送信電力の前記レベルを増加させることをさらに具備する、請求項１の方法。
【請求項１１】
無線信号を受信する復調フィンガーを備えたレーキ受信器と；
無線信号を送信する送信器と；
前記レーキ受信器内の前記復調フィンガーのすべてがアウトオブロックのときを検出する検出器と；および
前記復調フィンガーが所定期間を超える期間アウトオブロックのままであるとき前記送信器の送信電力のレベルを増加するコントローラー；
とを具備する装置。
【請求項１２】
前記復調フィンガーが前記所定期間未満アウトオブロックのままであるとき、前記コントローラーは実質的に一定のレベルで前記送信電力の前記レベルを維持する、請求項１１の装置。
【請求項１３】
前記コントローラーは、前記復調フィンガーがアウトオブロックであるとき他の装置に送信電力を増加させるために、前記送信器が信号搬送命令を送信することを制御し、前記復調フィンガーが所定の期間を超える期間アウトオブロックのままであるとき前記信号の送信電力の前記レベルを増加する、請求項１１の装置。
【請求項１４】
下記を具備する装置：
無線信号を受信する復調フィンガーを有したレーキ受信器；
無線信号を送信する送信器；
レーキ受信器内のすべての復調フィンガーがアウトオブロックであるとき、を検出する検出器；および
前記復調フィンガーが所定の期間を超える期間アウトオブロックのままであるとき、前記送信器の送信電力のレベルを増加するコントローラー、前記コントローラーは、前記復調フィンガーがアウトオブロックであるとき、他の装置に送信電力を増加させるために命令を有する信号を前記送信器が送信するのを制御し、前記復調フィンガーが所定期間を超える期間アウトオブロックのままであるとき、前記信号の送信電力のレベルを増加し、前記復調フィンガーが所定期間未満の期間アウトオブロックのままであるとき、前記送信電力のレベルを維持するために、第１のパターンの電力制御ビットを前記送信器に印加し、および前記復調フィンガーが所定期間を超える期間、アウトオブロックのままであるとき、前記送信電力のレベルを増加するために第２のパターンの電力制御ビットを前記送信器に印加する。
【請求項１５】
前記第１のパターンの電力制御ビットは、前記送信電力の前記レベルに毎秒ほぼ０ｄＢの増加を生成し、前記第２のパターンの電力制御ビットは、前記送信電力の前記レベルに毎秒ほぼ１０ｄＢ以上の増加を生成する、請求項１４の装置。
【請求項１６】
下記を具備する装置：
無線信号を受信する復調フィンガーを有したレーキ受信器；
無線信号を送信する送信器；
前記レーキ受信器内の復調フィンガーのすべてがアウトオブロックであるとき、を検出する検出器；
前記復調フィンガーのすべてが所定期間を超える期間アウトオブロックのままであるとき、前記送信器の送信電力のレベルを増加するコントローラー；および
タイマー；
前記コントローラーは、前記検出に応答して前記タイマーを始動させ、前記復調フィンガーの少なくとも１つがロック状態であるとき前記タイマーを停止し、前記タイマーが前記所定期間を超える期間作動するとき前記送信電力のレベルを増加する。
【請求項１７】
前記送信器および前記レーキ受信器は両方とも無線基地局に関連する、請求項１１の装置。
【請求項１８】
前記送信器および前記レーキ受信器は両方とも移動加入者装置に関連する、請求項１１の装置。
【請求項１９】
前記送信器は、ＷＣＤＭＡ規格に従って信号を送信するＣＤＭＡ送信器である、請求項１１の装置。
【請求項２０】
前記コントローラは、ローカル無線送信環境の特性に従って選択された量だけ前記送信電力の前記レベルを増加する、請求項１１の装置。
【請求項２１】
無線レーキ受信器内の全ての復調フィンガーがアウトオブロックであるときを検出する；   受信信号の高速フェーディング状態または低速フェーディング状態によりアウトオブロック検出を分類する；および   前記アウトオブロック検出が低速フェーディング状態として分類される場合に送信器の送信電力のレベルを増加する； ことを具備する方法。
【請求項２２】
前記フィンガーが所定期間を超える期間アウトオブロックのままであるとき、低速フェーディング状態により前記アウトオブロック検出を分類することをさらに具備する、請求項２１の方法。
【請求項２３】
前記送信器および前記レーキ受信器は両方とも無線基地局に関連している、請求項２１の方法。
【請求項２４】
前記送信器および前記レーキ受信器は両方とも移動加入者装置に関連している、請求項２１の方法。
【請求項２５】
前記送信器は、ＷＣＤＭＡ規格に従って信号を送信するＣＤＭＡ送信器である、請求項１６の方法。
【請求項２６】
無線信号を受信する復調フィンガーを備えたレーキ受信器と；   無線信号を送信する送信器と；   レーキ受信器内のすべての復調フィンガーがアウトオブロックであるときを検出する検出器と；および   前記受信信号内の高速フェーディング状態または低速フェーディング状態により前記アウトオブロック検出を分類し、前記アウトオブロック検出が低速フェーディング状態として分類された場合に、送信器の送信電力のレベルを増加するコントローラーと； を具備する装置。
【請求項２７】
前記コントローラーは、前記フィンガーが所定期間を超える期間アウトオブロックのままであるとき、低速フェーディング状態により前記アウトオブロック検出を分類する、請求項２６の装置。
【請求項２８】
前記送信器と前記レーキ受信器は両方とも無線基地局に関連している、請求項２６の装置。
【請求項２９】
前記送信器と前記レーキ受信器は両方とも移動加入者装置に関連している、請求項２６の装置。
【請求項３０】
前記送信器は、ＷＣＤＭＡ規格に従う信号を送信するＣＤＭＡ送信器である、請求項２６の装置。